(57)【要約】【課題】導体板と電気機器との接続を容易にしつつ、当該電気機器への電力の供給／遮断を実現できる配線モジュールを提供する。【解決手段】配線モジュールは、蓄電装置の第１出力端に接続され、長手方向に長い扁平な導電体からなる第１導体板を備え、前記蓄電装置から電力を電気機器へ供給する、車両に搭載される配線モジュールである。配線モジュールは接続部材を更に備える。接続部材は第１導体板に嵌合される。接続部材は、第１嵌合部と、第２嵌合部と、スイッチとを備える。第１嵌合部は第１導体板と嵌合する。第２嵌合部は、電気機器へ供給される電力が経由する第１端子を有する。スイッチは、第１端子と第１導体板との間の導通／非導通を切り替える。【選択図】図３
2018076013.tif 000002
【特許請求の範囲】
【請求項１】
蓄電装置の第１出力端子に接続され、長手方向に長い扁平な導電体からなる第１導体板を備え、前記蓄電装置から電力を電気機器へ供給する、車両に搭載される配線モジュールであって、
前記第１導体板に嵌合される接続部材
を更に備え、
前記接続部材は、
前記第１導体板と嵌合する第１嵌合部と、
前記電気機器へ供給される前記電力が経由する第１端子を有する第２嵌合部と、
前記第１端子と前記第１導体板との間の導通／非導通を切り替えるスイッチと
を有する、配線モジュール。
【請求項２】
請求項１に記載の配線モジュールであって、
前記蓄電装置の第２出力端子に接続され、長手方向に長い扁平な導電体からなり、前記第１導体板と異なる第２導体板を更に備え、
前記第２導体板は前記第１導体板と絶縁した状態で重ね合わされ、
前記第２嵌合部は、前記電気機器へ供給される前記電力が経由する第２端子を更に有し、
前記接続部材は、前記第２導体板と嵌合する第３嵌合部を更に備え、
前記第２導体板は前記接続部材において前記第２端子に接続される、配線モジュール。
【請求項３】
請求項１に記載の配線モジュールであって、
前記長手方向に沿って延在する第１信号線を更に備え、
前記第１信号線は、
前記接続部材と結合し、
前記接続部材において前記スイッチの制御端子に接続される、配線モジュール。
【請求項４】
請求項２に記載の配線モジュールであって、
前記長手方向に沿って延在する第１信号線を更に備え、
前記第１信号線は、
前記第１導体板と前記第２導体板とに挟まれる空間を避けて設けられ、
前記接続部材と結合し、
前記接続部材において前記スイッチの制御端子に接続される、配線モジュール。
【請求項５】
請求項４に記載の配線モジュールであって、
前記第１信号線は、前記第１導体板と前記第２導体板とが重ね合わされた周囲に配置されている、配線モジュール。
【請求項６】
請求項１から請求項５のいずれか１項に記載の配線モジュールであって、
前記接続部材は、
前記第１導体板に接続される第１接続導体
を更に有し、
前記第１接続導体は、前記スイッチを介して前記第２嵌合部の前記第１端子に接続され、
前記第１接続導体は、前記第１導体板の厚み方向において前記第１導体板に接触しつつ、前記厚み方向において前記第１導体板を押圧する、配線モジュール。
【請求項７】
請求項６に記載の配線モジュールであって、
前記第１接続導体は、
前記厚み方向に延びる柱部と、
前記柱部から前記第１導体板の幅方向に沿って延在し、前記厚み方向において相互に間隔を空けて向かい合う一対の梁部と
を備え、
前記一対の梁部は、互いに近づくように突出する接触突部を有し、
前記接触突部は、前記厚み方向において互いに反対側から前記第１導体板に接触する、配線モジュール。
【請求項８】
請求項１に記載の配線モジュールであって、
前記第１導体板と対をなす扁平な導体板からなる第３導体板を更に備え、
前記接続部材は、前記第３導体板と嵌合する第４嵌合部を更に有する、配線モジュール。
【請求項９】
請求項８に記載の配線モジュールであって、
前記接続部材は、前記第１導体板を前記第３導体板に接続する第１接続導体を更に有する、配線モジュール。
【請求項１０】
請求項９に記載の配線モジュールであって、
前記第１接続導体は、前記第３導体板の厚み方向において前記第３導体板に接触して押圧する、配線モジュール。
【請求項１１】
請求項２、請求項４または請求項５に記載の配線モジュールであって、
前記接続部材は、
基板と、
前記第１導体板に接続される第１接続導体と、
前記基板に対して前記第１接続導体と反対側に配置され、前記第２導体板に接続される第２接続導体と
を有し、
前記基板は、
前記スイッチを介して前記第１接続導体を前記第２嵌合部の前記第１端子に接続する第１配線と、
前記第２接続導体を前記第２嵌合部の前記第２端子に接続する第２配線と
を有する、配線モジュール。
【請求項１２】
請求項１から請求項１１のいずれか１項に記載の配線モジュールであって、
第２信号線を更に備え、
前記第２嵌合部は、前記電気機器に信号を出力する第３端子を有し、
前記接続部材は前記第２信号線と前記第３端子とを接続する配線を更に有する、配線モジュール。
【請求項１３】
請求項１から請求項１２のいずれか１項に記載の配線モジュールであって、
前記長手方向に沿って延在する扁平な信号用導体板を更に備え、
前記信号用導体板は、多重化された多重化信号を伝達し、
前記接続部材は、
前記信号用導体板に接続され、前記多重化信号を分離する制御回路を有する、配線モジュール。
【請求項１４】
蓄電装置から電力を電気機器に供給する車載用の配線モジュールにおける接続部材であって、
前記蓄電装置の第１出力端子に接続され、長手方向に長い扁平な導電体からなる第１導体板と嵌合する第１嵌合部と、
前記電気機器へ供給される電力が経由する第１端子を有する第２嵌合部と、
前記第１端子と前記第１導体板との間の導通／非導通を切り替えるスイッチと
を備える、配線モジュールにおける接続部材。
【発明の詳細な説明】
【技術分野】
【０００１】
本発明は、配線モジュールおよび配線モジュールにおける接続部材に関する。
【背景技術】
【０００２】
車両の電気機器が多種多様になってきており、電気機器への供給電力が大電流となりつつある。そこで、板状の導電体からなる金属配線（導体板）を用いて、大電流を供給可能とする技術がある。
【０００３】
特許文献１には、板状の金属配線を採用した自動車用電源供給装置が記載されている。この自動車用電源供給装置において、バッテリおよび２つの金属配線が設けられている。バッテリは、例えば、車体のエンジンルーム内に設置されている。２つの金属配線は板状の形状を有しており、それぞれバッテリのプラス側端子およびマイナス側端子に接続されている。これらの金属配線はエンジンルームから車室内へと延びている。
【０００４】
また、車体には、複数の電気機器が設けられている。これらの複数の電気機器は、ワイヤハーネスを介して、各金属配線の最寄りの位置に接続されている。例えば、ワイヤハーネスは金属配線に対してボルトで接続される。これにより、バッテリから各電気機器へと電源を供給することができる。
【先行技術文献】
【特許文献】
【０００５】
【特許文献１】特開２０１６−１２０９０１号公報
【発明の概要】
【発明が解決しようとする課題】
【０００６】
しかし、金属配線は板状の導電体であり、電気機器への電力をオンオフするためのリレー等のスイッチング素子を設けることはできなかった。また、当該リレーを電気機器上に配置する方法も考えられるが、電気機器を簡素化することができなくなる。
【０００７】
また、当該金属配線を分割させ、連結板状でボルト締めして接続する構成が周知であるが、作業者による組み付け性が悪い、といった課題があった。
【０００８】
そこで本発明は、導体板と電気機器との接続を容易にしつつ、当該電気機器への電力の供給／遮断を実現できる配線モジュールを提供することを目的とする。
【課題を解決するための手段】
【０００９】
配線モジュールの第１の態様は、蓄電装置の第１出力端子に接続され、長手方向に長い扁平な導電体からなる第１導体板を備え、前記蓄電装置から電力を電気機器へ供給する、車両に搭載される配線モジュールである。配線モジュールは接続部材を更に備える。接続部材は第１導体板に嵌合される。接続部材は、第１嵌合部と、第２嵌合部と、スイッチとを備える。第１嵌合部は第１導体板と嵌合する。第２嵌合部は、電気機器へ供給される電力が経由する第１端子を有する。スイッチは、第１端子と第１導体板との間の導通／非導通を切り替える。
【００１０】
配線モジュールの第２の態様は、第１の態様にかかる配線モジュールであって、第２導体板を更に備える。第２導体板は、蓄電装置の第２出力端子に接続され、長手方向に長い扁平な導電体からなり、第１導体板と異なる。第２導体板は第１導体板と絶縁した状態で重ね合わされる。第２嵌合部は、電気機器へ供給される電力が経由する第２端子を更に有する。接続部材は、第２導体板と嵌合する第３嵌合部を更に備える。第２導体板は接続部材において第２端子に接続される。
【００１１】
配線モジュールの第３の態様は、第１の態様にかかる配線モジュールであって、第１信号線を更に備える。第１信号線は長手方向に沿って延在する。第１信号線は、接続部材と結合し、当該接続部材においてスイッチの制御端子に接続される。
【００１２】
配線モジュールの第４の態様は、第２の態様にかかる配線モジュールであって、第１信号線を更に備える。第１信号線は長手方向に沿って延在する。第１信号線は、前記第１導体板と前記第２導体板とに挟まれる空間を避けて設けられており、接続部材と結合し、当該接続部材においてスイッチの制御端子に接続される。
【００１３】
配線モジュールの第５の態様は、第４の態様にかかる配線モジュールであって、第１信号線は、第１導体板と第２導体板とが重ね合わされた周囲に配置されている。
【００１４】
配線モジュールの第６の態様は、第１から第５のいずれか一つの態様にかかる配線モジュールであって、接続部材は第１接続導体を更に有する。第１接続導体は、第１導体板に接続される。第１接続導体は、スイッチを介して第２嵌合部の第１端子に接続される。第１接続導体は、第１導体板の厚み方向において第１導体板に接触しつつ、厚み方向において第１導体板を押圧する。
【００１５】
配線モジュールの第７の態様は、第６の態様にかかる配線モジュールであって、第１接続導体は、柱部と、一対の梁部とを備える。柱部は当該厚み方向に延びる。一対の梁部は、柱部から第１導体板の幅方向に沿って延在し、厚み方向において相互に間隔を空けて向かい合う。一対の梁部は、互いに近づくように突出する接触突部を有する。接触突部は、当該厚み方向において互いに反対側から第１導体板に接触する。
【００１６】
配線モジュールの第８の態様は、第１の態様にかかる配線モジュールであって、扁平な導電体からなる第３導体板を更に備える。第３導体板は、第１導体板と対をなす。接続部材は、第４嵌合部と備える。
【００１７】
配線モジュールの第９の態様は、第８の態様にかかる配線モジュールであって、接続部材は、第１導体板を第３導体板に接続する第１接続導体を更に有する。
【００１８】
配線モジュールの第１０の態様は、第９の態様にかかる配線モジュールであって、第１接続導体は、第３導体板の厚み方向において第３導体板に接触して押圧する。
【００１９】
配線モジュールの第１１の態様は、第２、第４または第５の態様にかかる配線モジュールであって、接続部材は、基板と、第１接続導体と、第２接続導体とを備える。第１接続導体および第２接続導体は、基板に対して互いに反対側に配置されている。第１接続導体は、第１導体板を第１配線に接続する。第２接続導体は、第２導体板を第２配線に接続する。基板は、第１配線および第２配線を有する。第１配線は、スイッチを介して第１接続導体を第１嵌合部の第１端子に接続する。第２配線は、第２接続導体を第２嵌合部の第２端子に接続する。
【００２０】
配線モジュールの第１２の態様は、第１から第１１のいずれか一つの態様にかかる配線モジュールであって、第２信号線を更に備える。第１嵌合部は、電気機器に信号を出力する第３端子を有する。接続部材は、第２信号線と第３端子とを接続する配線を更に有する。
【００２１】
配線モジュールの第１３の態様は、第１から第１２のいずれか一つの態様にかかる配線モジュールであって、扁平な信号用導体板を更に備える。信号用導体板は当該長手方向に沿って延在する。信号用導体板は、多重化された多重化信号を伝達する。接続部材は、制御回路を有する。制御回路は信号用導体板に接続され、多重化信号を分離する。
【００２２】
配線モジュールにおける接続部材は、蓄電装置から電力を電気機器に供給する車載用の配線モジュールにおける接続部材である。接続部材は、第１嵌合部と、第２嵌合部と、スイッチとを備える。第１嵌合部は、蓄電装置の第１出力端子に接続され、長手方向に長い扁平な導電体からなる。第２嵌合部は、電気機器へ供給される電力が経由する第１端子を有する。スイッチは第１端子と第１導体板との間の導通／非導通を切り替える。
【発明の効果】
【００２３】
配線モジュールによれば、導体板と電気機器との接続を容易にしつつ、当該電気機器への電力の供給／遮断を実現できる。
【図面の簡単な説明】
【００２４】
【図１】配線モジュールの構成の一例を概略的に示す斜視図である。
【図２】配線モジュールの内部構成の一例を概略的に示す図である。
【図３】配線モジュールの構成の一例を概略的に示す斜視図である。
【図４】配線モジュールの構成の一例を概略的に示す上面図である。
【図５】配線モジュールの構成の一例を概略的に示す下面図である。
【図６】配線モジュールの構成の一例を概略的に示す断面図である。
【図７】配線モジュールの構成の一例を概略的に示す断面図である。
【図８】配線モジュールの構成の一例を概略的に示す斜視図である。
【図９】配線モジュールの内部構成の一例を概略的に示す図である。
【発明を実施するための形態】
【００２５】
＜構成＞
図１は、車載用の配線モジュール１００の構成の一例を概略的に示す斜視図である。この配線モジュール１００は車両（例えば自動車）に搭載される。配線モジュール１００は、導体板１０，２０と、信号線群３０と、接続部材４０とを備えている。
【００２６】
導体板１０は一体の導電体からなり、長手方向に延在する長尺形状を有しており、その長手方向に垂直な断面において、扁平な形状を有している。導電体の一例として、銅、アルミ等の導電体からなる導体板を採用できる。例えば導体板１０は、その断面において、例えば長方形の形状を有している。ここでいう断面とは、導電性を有する部分についての断面であり、例えば導体板２１〜２３が絶縁被覆によって覆われている場合、その絶縁被覆は含まれない。導体板１０の厚みは適宜に設定されればよいものの、例えば０．５［ｍｍ］以上、且つ、１［ｍｍ］以下に設定され得る。導体板１０の幅（長手方向および厚み方向に垂直な方向に沿う幅）も適宜に設定されればよいものの、例えば、５０［ｍｍ］以上、且つ、１００［ｍｍ］以下に設定され得る。
【００２７】
導体板１０は、導通性を有する材料によって形成されており、例えば、金属によって形成されてもよい。例えば、銅、銅合金、アルミニウムまたはアルミニウム合金などの金属を、導体板１０の材料に採用することができる。
【００２８】
導体板２０は一体の導電体からなり、長手方向に延在する長尺形状を有しており、長手方向に垂直な断面において、扁平な形状を有している。導体板２０の断面の形状、サイズおよび材料の一例については、導体板１０と同様である。
【００２９】
導体板１０，２０は厚み方向において互いに離間しつつ、向かい合って配置されている。また、導体板１０，２０は互いに略等しい方向に延びている。つまり、導体板１０，２０の厚み方向は略同一であり、導体板１０，２０の長手方向も略同一である。導体板１０，２０の各々は、所定の絶縁体（例えば樹脂）によって被覆されていてもよい。
【００３０】
導体板１０，２０は、例えば車両に搭載される蓄電装置（例えばバッテリまたはキャパシタ：図２も参照）５００に接続される。この場合、導体板１０，２０は電源線として機能する。例えば導体板１０はこの蓄電装置５００の高電位側の出力端子５１０に接続され、導体板２０は蓄電装置５００の低電位側の出力端子５２０に接続される。この場合、導体板２０はアース（あるいはグランド）として機能することができる。
【００３１】
導体板１０，２０が向かい合って配置されているので、導体板１０を流れる電流の方向は、導体板２０を流れる電流の方向と反対である。よって、導体板１０に流れる電流に起因する磁束と、導体板２０を流れる電流に起因する磁束とは、互いに打ち消し合う。したがって、これらの電流に起因した電磁気的なノイズが低減される。なお導体板１０，２０を流れる電流の方向が反対であれば、当該ノイズを低減できるので、導体板１０の厚み方向が導体板２０の厚み方向と交差する姿勢で、導体板１０，２０が配置されてもよい。
【００３２】
信号線群３０は導体板１０，２０の長手方向に沿って延在しており、例えば導体板２０に対して導体板１０とは反対側に配置されている。図１の例においては、信号線群３０に含まれる各信号線は導体板１０の幅方向に沿って並んで配置されており、いずれの信号線も導体板１０，２０の長手方向に沿って延在している。
【００３３】
なお信号線群３０は必ずしも導体板２０に対して導体板１０とは反対側に配置される必要はない。信号線群３０は導体板１０に対して導体板２０とは反対側に配置されてもよい。要するに、信号線群３０は導体板１０，２０によって挟まれる空間を避けて設けられるとよい。これにより、よって、導体板１０，２０の間の距離を短く設定することができ、電磁気的なノイズの放射を効果的に低減することができる。例えば、信号線群３０は、導体板１０Ａ，２０Ａが重ね合わされた周囲に配置されるとよい。これによれば、導体板１０，２０に信号線群３０を配置することができる。
【００３４】
また、信号線群３０は導体板１０，２０の厚み方向において、導体板１０，２０と向かい合うように配置されるとよい。これによれば、導体板１０，２０の広い面において信号線群３０を配置することができるので、信号線群３０の配索が容易である。
【００３５】
接続部材４０には導体板１０，２０が嵌合される。具体的な構造の一例については、後に詳述する。接続部材４０は嵌合部６１〜６３を備えている。嵌合部６１〜６３は例えばＰＣＢ(Printed Circuit Board)コネクタであり、それぞれコネクタ２０１〜２０３と着脱可能に結合する。あるいは、嵌合部６１〜６３は、樹脂枠４００につくりこまれてもよい。コネクタ２０１〜２０３はそれぞれ配線群２１０〜２３０の一端に設けられており、各配線群の他端はそれぞれ適宜に電気機器（不図示）に接続される。電気機器としては、例えば制御回路を含むＥＣＵ(Electronic Control Unit)または電動機を採用できる。配線群２１０〜２３０及びコネクタ２０１〜２０３はワイヤハーネスとして実現できる。
【００３６】
嵌合部６１〜６３がそれぞれコネクタ２０１〜２０３に結合した状態において、接続部材４０は導体板１０，２０を、それぞれ適宜に、配線群２１０〜２３０に電気的に接続することができる。例えば図２は、接続部材４０の電気的な内部構成の一例を示す図である。例えば接続部材４０は、スイッチ４１，４２と、ヒューズ５１〜５３と、嵌合部６１〜６３とを備えている。
【００３７】
嵌合部６１は端子６１１，６１２を有している。端子６１１は、例えばスイッチ４１およびヒューズ５１を介して、導体板１０に接続されている。つまり、導体板１０は接続部材４０において端子６１１に接続されている。端子６１２は導体板２０に接続されている。つまり、導体板２０は接続部材４０において端子６１２に接続されている。
【００３８】
導体板１０，２０が蓄電装置５００に接続される場合には、端子６１１，６１２は電源用の端子として機能する。つまり、端子６１１，６１２は蓄電装置５００の電力を電気機器へ供給する端子である。言い換えれば、蓄電装置５００からの電子機器へ供給される電力は端子６１１，６１２を経由する。嵌合部６１がコネクタ２０１に結合すれることによって、電源用の端子６１１，６１２は、それぞれ、配線群２１０に含まれる配線２１１，２１２に接続される。この接続により、蓄電装置５００からの電力を、配線２１１，２１２に接続される電気機器へと供給することができる。
【００３９】
ヒューズ５１は、自身に所定値以上の電流が流れると、遮断する。これにより、配線２１１，２１２に接続される電気機器を過電流から保護することができる。
【００４０】
スイッチ４１は例えばリレーであって、導体板１０と電源用の端子６１１との間の導通／非導通を切り替える。つまり、スイッチ４１は電気機器への電力の供給／停止を切り替えることができる。図２の例においては、スイッチ４１は、コイル４１１と、接点構造４１２とを備えている。接点構造４１２は導体板１０と電源用の端子６１１との間に接続されている。接点構造４１２は、閉状態であるときに、これらを導通させ、開状態であるときに、これらを電気的に切り離す。
【００４１】
かかる配線モジュール１００によれば、コネクタ２０１〜２０３を嵌合部６１〜６３に結合することで、適宜に電気機器と導体板１０，２０とを互いに接続できる。よって、電気機器との接続を容易にできる。また、接続部材４０にはスイッチ４１，４２が含まれているので、適宜に電気機器への電力の供給／遮断を実現できる。
【００４２】
接続部材４０は信号線群３０にも取り付けられる。図２の例においては、信号線群３０に含まれる信号線として、複数の信号線３１〜３５が示されている。コイル４１１の一端は信号線３１に接続され、他端が導体板２０に接続される。コイル４２１の一端は信号線３２に接続され、他端が導体板２０に接続される。
【００４３】
信号線３１には、制御装置（不図示）が接続されている。この制御装置は、スイッチ４１を制御する制御信号を信号線３１に出力する。つまり、信号線３１は、当該制御信号を伝達する信号線である。この制御信号によって、信号線３１と導体板２０との間でコイル４１１を介して電流を流したり、あるいはこの電流を遮断したりする。当該電流が流れ始めると、コイル４１１が磁束を発生し始め、この磁束が接点構造４１２に作用して、接点構造４１２の閉状態／開状態を切り替える。これにより、スイッチ４１の導通／非導通が切り替わる。
【００４４】
図１においては、例えば嵌合部６１は端子６１３〜６１５を更に有しており、これらは接続部材４０において、それぞれ信号線３３〜３５に接続されている。よって、端子６１３〜６１５は信号用の端子として機能する。嵌合部６１がコネクタ２０１に結合することで、信号用の端子６１３〜６１５は、それぞれ、配線群２１０に含まれる配線２１３〜２１５に接続される。これにより、信号線３３〜３５に接続される電気機器（不図示）は、配線２１３〜２１５に接続される電気機器と信号のやり取りを行うことができる。
【００４５】
信号線３３は、例えば、車両の速度を示す信号を伝達するための信号線であってもよく、信号線３４，３５は、例えば、車載ネットワーク（例えばＣＡＮ：Controller Area Network）で用いられる信号を伝達するための信号線であってもよい。
【００４６】
嵌合部６２は電源用の端子６２１，６２２を備えている。導体板１０は接続部材４０において、例えばスイッチ４２およびヒューズ５２を介して電源用の端子６２１に接続されている。導体板２０は接続部材４０において、電源用の端子６２２に接続されている。嵌合部６２がコネクタ２０２と結合することにより、電源用の端子６２１，６２２はそれぞれ、配線群２２０に含まれる配線２２１，２２２と接続される。この接続により、蓄電装置５００からの電力を、配線２２１，２２２に接続される電気機器へと供給できる。つまり、端子６２１，６２２は蓄電装置５００の電力を電気機器へ供給する端子である。言い換えれば、蓄電装置５００からの電子機器へ供給される電力は端子６２１，６２２を経由する。
【００４７】
ヒューズ５２はヒューズ５１と同様に、配線２２１，２２２に接続される電気機器を、過電流から保護することができる。スイッチ４２は例えばリレーであって、コイル４２１と接点構造４２２とを備えている。コイル４２１の一端は信号線３２に接続され、他端は導体板２０に接続される。信号線３２は、スイッチ４２を制御する制御信号を伝達する信号線である。コイル４２１および接点構造４２２はそれぞれコイル４１１および接点構造４１２と同様である。
【００４８】
図１においては、例えば嵌合部６２は信号用の端子６２４，６２５を更に有している。信号線３４，３５は接続部材４０において、それぞれ信号用の端子６２４，６２５に接続される。嵌合部６２がコネクタ２０２に結合することにより、信号用の端子６２４，６２５はそれぞれ、配線群２２０に含まれる配線２２４，２２５に接続される。これにより、信号線３４，３５に接続される電気機器が、配線２２４，２２５に接続される電気機器と信号をやり取りすることができる。
【００４９】
嵌合部６３は例えば電源用の端子６３１，６３２を備えている。導体板１０は接続部材４０において、例えばヒューズ５３を介して電源用の端子６３１に接続されている。導体板２０は接続部材４０において電源用の端子６３２に接続されている。嵌合部６３がコネクタ２０３と接続されることにより、電源用の端子６３１，６３２はそれぞれ、配線群２３０に含まれる配線２３１，２３２と接続される。この接続により、蓄電装置５００からの電力を、配線２３１，２３２に接続される電気機器へと供給できる。つまり、端子６３１，６３２は蓄電装置５００の電力を電気機器へ供給する端子である。言い換えれば、蓄電装置５００からの電子機器へ供給される電力は端子６３１，６３２を経由する。ヒューズ５３はヒューズ５１と同様に、配線２３１，２３２に接続される電気機器を、過電流から保護することができる。
【００５０】
図１においては、例えば嵌合部６３は信号用の端子６３３を更に有している。信号線３３は接続部材４０において信号用の端子６３３に接続される。嵌合部６３がコネクタ２０３に結合することにより、信号用の端子６３３は、配線群２３０に含まれる配線２３３に接続される。これにより、信号線３３に接続される電気機器が、配線２３３に接続される電気機器と信号をやり取りすることができる。
【００５１】
このような配線モジュール１００によれば、嵌合部６１〜６３がそれぞれコネクタ２０１〜２０３に結合することによって、蓄電装置５００および複数の電気機器を互いに適切に接続することができる。よって、電力を各電気機器へと適宜に供給でき、また、複数の電気機器の間において信号のやり取りを行うことができる。しかも、嵌合部６１〜６３およびコネクタ２０１〜２０３を用いて配線群２１０，２２０，２３０を導体板１０，２０および信号線群３０に接続しているので、高い信頼性で接続を実現できる。また嵌合部６１〜６３およびコネクタ２０１〜２０３を用いた接続は当該接続を行う作業員にとって容易である。つまり、導体板１０，２０および信号線群３０を容易に電気機器に接続することができる。
【００５２】
また、接続部材４０がスイッチ４１を有しているので、配線２１１，２１２に接続される電気機器への電力の供給／遮断を切り替えることができる。これによれば、必要な場合のみに、電気機器へ電力を供給することができるので、消費電力を低減できる。スイッチ４２についても同様である。
【００５３】
＜配線モジュール１００Ａ＞
図３〜図７は、配線モジュール１００Ａの構成の一例を概略的に示す図である。配線モジュール１００Ａは、例えば配線モジュール１００の具体例である。図３は、配線モジュール１００Ａの構成の一例を概略的に示す斜視図であり、図４および図５は、それぞれ、配線モジュール１００Ａの構成の一例を概略的に示す上面図および下面図である。図６および図７は、それぞれ、図４のＸ−Ｘ断面およびＹ−Ｙ断面を概略的に示している。ただし、図３〜図７においては、簡単のために、信号線群３０の数を適宜に減らして示し、また嵌合部６３を省略している。また図４および図５においては、接続部材４０の内部の構成の一例が概略的に示されている。
【００５４】
配線モジュール１００Ａにおいては、例えば、互いに対をなす導体板１０Ａ，１０Ｂが導体板１０として設けられており、互いに対をなす導体板２０Ａ，２０Ｂが導体板２０として設けられている。一対の導体板１０Ａ，１０Ｂは接続部材４０に着脱可能に結合する。この結合により、接続部材４０は一対の導体板１０Ａ，１０Ｂを互いに電気的に接続する。同様に、一対の導体板２０Ａ，２０Ｂも接続部材４０に着脱可能に結合する。この結合により、接続部材４０は一対の導体板２０Ａ，２０Ｂを互いに電気的に接続する。
【００５５】
例えば接続部材４０は樹脂枠４００を有している。樹脂枠４００は例えば直方体の形状を有している。樹脂枠４００の面４００ａには、導体板１０Ａ，２０Ａ用の嵌合部４１１Ａ，４２１Ａが形成されている。この嵌合部４１１Ａは導体板１０Ａと嵌合する。具体的には、嵌合部４１１Ａには、導体板１０Ａの一端部がその長手方向に沿って嵌合される。嵌合部４１１Ａは、導体板１０Ａの長手方向に沿って見て、例えば扁平な形状（例えば長方形の形状）を有している。
【００５６】
嵌合部４２１Ａは導体板１０Ａ，２０Ａの厚み方向において、嵌合部４１１Ａと隣り合って配置されている。この嵌合部４２１Ａは導体板２０Ａと嵌合する。具体的には、嵌合部４２１Ａには、導体板２０Ａの一端部がその長手方向に沿って嵌合される。嵌合部４２１Ａの形状は嵌合部４１１Ａと同様である。
【００５７】
樹脂枠４００には、導体板１０Ｂ，２０Ｂ用の嵌合部４１１Ｂ，４２１Ｂも設けられる。嵌合部４１１Ｂは導体板１０Ｂと嵌合し、嵌合部４２１Ｂは導体板２０Ｂと嵌合する。例えば、これらの嵌合部４１１Ｂ，４２１Ｂは、面４００ａと対向する面に形成される。これらの嵌合部４１１Ｂ，４２１Ｂは、嵌合部４１１Ａ，４２１Ａと同様であるので、繰り返しの説明を避ける。
【００５８】
図３の例においては、絶縁被覆１１Ａ，２１Ａ，１１Ｂ，２１Ｂも示されている。絶縁被覆１１Ａは、少なくとも導体板１０Ａの上記一端部を除いて、導体板１０Ａを被覆している。絶縁被覆２１Ａは、少なくとも導体板２０Ａの上記一端部を除いて、導体板２０Ａを被覆している。絶縁被覆１１Ｂ，２１Ｂも、それぞれ絶縁被覆１１Ａ，２１Ｂと同様に、導体板１０Ｂ，２０Ｂのうち、少なくともこれらが接続部材４０に挿入される一端部を除いて導体板１０Ｂ，２０Ｂを被覆している。
【００５９】
図３の例においては、嵌合部６１，６２は樹脂枠４００の面４００ｂに設けられている。面４００ｂは例えば導体板１０，２０の長手方向に平行な面であり、例えば、導体板１０，２０の幅方向において、導体板１０，２０の側面と向かい合う面である。
【００６０】
図４を参照して、接続部材４０は接続導体９２を有している。接続導体９２は導電性を有しており、例えば金属によって形成される。接続導体９２はいわゆるバスバーであってもよい。導体板２０Ａ，２０Ｂの一端部が接続部材４０（具体的には嵌合部４１１Ａ，４２１Ａ）に挿入された状態で、接続導体９２は導体板２０Ａ，２０Ｂの両方に電気的に接続される。つまり、導体板２０Ａ，２０Ｂは接続導体９２を介して相互に電気的に接続される。例えば、接続導体９２は導体板２０Ａ，２０Ｂの一端部の各々と接触してもよい。
【００６１】
図６も参照して、接続導体９２は導体板２０Ａの厚み方向において導体板２０Ａに接触しつつ、当該厚み方向に沿って導体板２０Ａを押圧する。言い換えれば、接続導体９２は導体板２０Ａに押し付けられてもよい。つまり、接続導体９２は押圧構造を有していてもよい。同様に、接続導体９２は導体板２０Ｂの厚み方向において導体板２０Ｂに接触しつつ、当該厚み方向に沿って導体板２０Ｂを押圧してもよい。言い換えれば、接続導体９２が導体板２０Ｂに押し付けられてもよい。これにより、導体板２０Ａ，２０Ｂと接続導体９２との接触性を向上できる。以下、具体的な構造の一例について説明する。
【００６２】
例えば接続導体９２は、柱部９２１と、一対の梁部９２２，９２３とを備えている。柱部９２１は例えば導体板２０Ａの厚み方向に沿って延在している。柱部９２１は例えば四角柱形状を有している。
【００６３】
梁部９２２は柱部９２１から導体板２０Ａの幅方向に沿って延在している。つまり、梁部９２２の一端は柱部９２１に連結されている。梁部９２２の他端は他の部材に連結されていない。このような梁部９２２は、一端および他端をそれぞれ固定端および自由端とする片持ち梁構造を有する。梁部９２２は例えば板状の形状を有しており、例えばその厚み方向が導体板２０Ａの厚み方向と略一致する姿勢で設けられている。
【００６４】
梁部９２３の一端は、導体板２０Ａの厚み方向において梁部９２２とは異なる位置で、柱部９２１に連結されている。この梁部９２３も柱部９２１から導体板２０Ａの幅方向に沿って延在している。梁部９２３は導体板２０Ａの厚み方向において間隔を空けて梁部９２２と向かい合っている。梁部９２３の他端は他の部材に連結されていない。このような梁部９２３も、一端および他端をそれぞれ固定端および自由端とする片持ち梁構造を有する。梁部９２３は例えば板状の形状を有しており、例えばその厚み方向が導体板２０Ａの厚み方向と略一致する姿勢で設けられている。
【００６５】
導体板２０Ａが接続部材４０に挿入された状態において、導体板２０Ａは一対の梁部９２２，９２３の間に位置する。図６においては、例えば梁部９２２，９２３には、それぞれ接触突部９２５，９２６が設けられている。接触突部９２５，９２６は互いに近づくように突出している。接触突部９２５，９２６は、例えば導体板２０Ａに近づくにつれて細くなる先細形状を有していてもよい。導体板２０Ａが挿入されていない状態で、接触突部９２５，９２６の間の間隔は、導体板２０Ａの厚みよりも狭く設定されている。
【００６６】
導体板２０Ａの一端部はこの梁部９２２，９２３の間の領域に挿入される。これにより、接触突部９２５，９２６が、導体板２０Ａに対して互いに反対側から、導体板２０Ａに接触する。またこの挿入により、接触突部９２５，９２６の間の間隔が広がるように、梁部９２２，９２３が弾性変形する。よって、梁部９２２，９２３は互いに反対側から導体板２０Ａを、その厚み方向において押し付けられる。これにより、接触突部９２５と導体板２０Ａとの接触性、および、接触突部９２６と導体板２０Ａとの接触性を向上できる。また、導体板２０Ａを保持する力を向上することもできる。なお接続導体９２は必ずしも厚み方向の両側から導体板１０Ａに押し付けられる必要はないものの、両側から押し付けられることにより、導体板１０Ａを保持する力をより向上することができる。
【００６７】
しかも、接続導体９２は導体板２０Ａの広い面に押し付けられる。例えば、接続導体９２が導体板２０Ａに対して幅方向に押し付けられる場合、接続導体９２は導体板２０Ａの狭い面に押し付けられる。このように接続導体９２が狭い面に押し付けられる場合、その狭い面に適切に押し付けられるために、押圧構造（特に接触突部）の位置精度は高い必要がある。一方で、接続導体９２が導体板２０Ａの広い面に押し付けられる場合、押圧構造（特に接触突部９２５，９２６）の位置精度は高くなくてもよい。かかる押し付けを採用することによれば、接続部材４０を作製しやすい。
【００６８】
接続導体９２は、導体板２０Ａに対する押圧構造と同様の押圧構造によって、その厚み方向において導体板２０Ｂに接触しつつ、導体板２０Ｂに押し付けられてもよい。具体的な一例として、接続導体９２は、導体板１０Ｂ用の柱部９２１、梁部９２２，９２３および接触突部９２５，９２６を更に備えていてもよい。
【００６９】
また図４および図７も参照して、接続導体９２は連結部９２４を更に備えている。連結部９２４は導体板２０Ａ用の柱部９２１と導体板２０Ｂ用の柱部９２１とを連結する。例えば導体板２０Ａ用の柱部９２１および導体板２０Ｂ用の柱部９２１は導体板２０Ａ，２０Ｂの長手方向において間隔を空けて向かい合っている。よって連結部９２４も当該長手方向に延在する。連結部９２４は例えば板状の形状を有している。連結部９２４は、例えばその厚み方向が導体板２０Ａ，２０Ｂの厚み方向に略一致する姿勢で設けられている。
【００７０】
以上のように、接続導体９２は導体板２０Ａ，２０Ｂを電気的に接続する。言い換えれば、導体板２０Ａ，２０Ｂが接続導体９２を介して互いに電気的に接続される。
【００７１】
図４を参照して、接続導体９２は接続部材４０において、嵌合部６１の電源用の端子６１２および嵌合部６２の電源用の端子６２２に電気的に接続される。例えば接続部材４０は樹脂枠４００の内部において、基板７を有している。基板７は、例えばその厚み方向が導体板１０Ａ，１０Ｂ，２０Ａ，２０Ｂの厚み方向に略一致する姿勢で配置されている。基板７の一方の主面７ａには、例えば配線７２が設けられている。配線７２は例えば金属によって形成されており、例えばパターン配線であってもよい。嵌合部６１，６２は例えば基板７の主面７ａに設けられており、嵌合部６１の電源用の端子６１２および嵌合部６２の電源用の端子６２２が配線７２に接続されている。
【００７２】
接続導体９２は基板７の主面７ａ側に設けられており、配線７２に接続される。つまり、接続導体９２は導体板２０Ａ，２０Ｂを基板７に電気的に接続している、ともいえる。また、配線７２は接続導体９２を嵌合部６１の端子６１２に接続し、接続導体９２を嵌合部６２の端子６２２に接続する、ともいえる。例えば接続導体９２の連結部９２４の一部が、直接または導電部材（例えば半田、または、導電性樹脂など）を介して、配線７２の一部に接続されている。図４に示すように、例えば連結部９２４に突部９２７が設けられてもよい。突部９２７は連結部９２４から基板７に平行な方向に延在しており、突部９２７の先端部が配線７２に接続される。このように接続導体９２が配線７２を介して電源用の端子６１２，６２２に接続されるので、導体板２０Ａ，２０Ｂが電源用の端子６１２，６２２に電気的に接続される。
【００７３】
図４の例においては、スイッチ４１，４２およびヒューズ５１，５２が主面７ａ側において基板７に設けられている。スイッチ４１，４２がそれぞれコイル４１１，４２１を有する場合、図２を参照して説明したように、コイル４１１，４２１の他端が導体板２０に接続される。図４の例においても、導体板２０Ａ，２０Ｂの各々は接続導体９２および配線７２を介してスイッチ４１，４２（具体的にはコイル４１１，４２１）に接続される。
【００７４】
図５を参照して、接続部材４０は接続導体９１を有している。接続導体９１は導電性を有しており、例えば金属によって形成される。接続導体９１はいわゆるバスバーであってもよい。導体板１０Ａ，１０Ｂの一端部が接続部材４０に挿入された状態で、接続導体９１は導体板１０Ａ，１０Ｂの両方に電気的に接続される。つまり、導体板１０Ａ，１０Ｂは接続導体９１を介して相互に電気的に接続される。例えば接続導体９１は導体板１０Ａ，１０Ｂの一端部の各々と接触してもよい。
【００７５】
図６を参照して、接続導体９１は導体板１０Ａの厚み方向において導体板１０Ａに接触しつつ、当該厚み方向に導体板１０Ａへ押し付けられてもよい。つまり、接続導体９１は押圧構造を有していてもよい。同様に、接続導体９１は導体板１０Ｂの厚み方向において導体板１０Ｂに接触しつつ、当該厚み方向に導体板１０Ｂへ押し付けられてもよい。これにより、導体板１０Ａ，１０Ｂの各々と接続導体９１との接触性を向上できる。接続導体９１の具体的な一例は接続導体９２と同様であり、例えば、柱部９１１と、梁部９１２，９１３と、接触突部９１５，９１６とを備えている。
【００７６】
図４および図５を参照して、接続導体９１は接続部材４０において、嵌合部６１の電源用の端子６１１および嵌合部６２の電源用の端子６２１に電気的に接続される。具体的には接続導体９１は、スイッチ４１およびヒューズ５１を介して電源用の端子６２１に接続され、スイッチ４２およびヒューズ５２を介して電源用の端子６２２に接続される。
【００７７】
例えば基板７には、配線７１が設けられる。配線７１は例えば金属によって形成されており、例えばパターン配線であってもよい。接続導体９１はこの配線７１と接続されることにより、上述の接続関係が実現される。つまり、接続導体９１は導体板１０Ａ，１０Ｂを基板７に接続している、ともいえる。また、配線７１は、スイッチ４１を介して接続導体９１を嵌合部６１の端子６１１に接続し、スイッチ４２を介して接続導体９１を嵌合部６２の端子６２１に接続する、ともいえる。
【００７８】
この接続導体９１は基板７に対して接続導体９２と反対側に設けられてもよい。つまり、接続導体９１は基板７の主面７ｂ側に配置されてもよい。主面７ｂは主面７ａとは反対側の面である。これによれば、接続導体９１が接続導体９２と空間的に干渉しにくいので、接続導体９１，９２を基板７に取り付けやすい。
【００７９】
この場合、基板７の主面７ｂ側には、配線７１の一部である配線７１ｂが形成されている。例えば接続導体９１の連結部９１４の一部が、直接または導電部材（例えば半田、または、導電性樹脂など）を介して、配線７１ｂの一部に接続されている。連結部９１４は例えば柱部９１１，９２１を互いに連結する。図５に示すように、例えば連結部９１４に突部９１７が設けられてもよい。突部９１７は連結部９１４から基板７に平行な方向に延在しており、突部９１７の先端部が配線７１ｂに接続される。
【００８０】
基板７の主面７ａ側には、配線７１の一部である配線７１ａが形成されている。配線７１ａ，７１ｂは、例えばビア７１ｃを介して、相互に電気的に接続される。配線７１ａは、主面７ａに設けられたスイッチ４１，４２、ヒューズ５１，５２および電源用の端子６１１，６２１を適宜に電気的に接続する。
【００８１】
次に信号線群３０について説明する。図３および図４の例においては、信号線群３０として、信号線群３０Ａ，３０Ｂが示されている。信号線群３０Ａの一端にはコネクタ３００Ａが設けられており、信号線群３０Ｂの一端にはコネクタ３００Ｂが設けられている。
【００８２】
接続部材４０には、嵌合部６０Ａが設けられている。嵌合部６０Ａは例えばＰＣＢコネクタであり、コネクタ３００Ａと着脱可能に接続される。嵌合部６０Ａは例えば樹脂枠４００の面４００ａに設けられる。図３の例においては、信号線群３０Ａおよびコネクタ３００Ａが導体板２０Ａに対して導体板１０Ａとは反対側に位置していることから、嵌合部６０Ａも嵌合部４２１Ａに対して嵌合部４１１Ａとは反対側に設けられている。
【００８３】
接続部材４０には、コネクタ３００Ｂ用の嵌合部６０Ｂも設けられる。この嵌合部６０Ｂは、例えば、ＰＣＴコネクタであり、樹脂枠４００の面４００ａとは反対側の面に設けられている。導体板１０Ｂ，２０Ｂ用の嵌合部４１１Ｂ，４２１Ｂと、当該嵌合部６０Ｂとの位置関係は、嵌合部４１１Ａ，４２１Ａおよび嵌合部６０Ａの位置関係と同様である。
【００８４】
図４を参照して、例えば、信号線群３０Ａには、信号線３１Ａ，３２Ａ，３３Ａが含まれており、信号線群３０Ｂには信号線３１Ｂ，３２Ｂ，３３Ｂが含まれている。コネクタ３００Ａ，３００Ｂがそれぞれ嵌合部６０Ａ，６０Ｂに結合した状態で、例えば信号線３１Ａ，３１Ｂはスイッチ４１の制御端子（具体的にはコイル４１１の一端）に接続される。これにより、信号線３１Ａ，３１Ｂに接続される電気機器は制御信号を用いてスイッチ４１の導通／非導通を制御することができる。具体的には、嵌合部６０Ａ，６０Ｂは基板７の主面７ａに接続されており、基板７の主面７ａ側には、配線８１が形成されている。配線８１は例えば金属で形成されており、例えばパターン配線であってもよい。配線８１は、嵌合部６０Ａの信号線３１Ａ用の端子、嵌合部６０Ｂの信号線３１Ｂ用の端子、および、スイッチ４１の制御端子を互いに電気的に接続する。
【００８５】
信号線３２Ａ，３２Ｂは、接続部材４０において、スイッチ４２の制御端子（具体的にはコイル４２１の一端）に接続される。これにより、信号線３２Ａ，３２Ｂに接続される電気機器は制御信号を用いてスイッチ４２の導通／非導通を制御することができる。例えば基板７の主面７ａには、配線８２が形成されている。配線８２は例えば金属で形成されており、例えばパターン配線であってもよい。配線８２は、嵌合部６０Ａの信号線３２Ａ用の端子、嵌合部６０Ｂの信号線３２Ｂ用の端子、および、スイッチ４２の制御端子を互いに電気的に接続する。
【００８６】
信号線３３Ａは、接続部材４０において、嵌合部６１の信号用の端子６１３に接続されている。これにより、信号線３３Ａに接続される電気機器は、配線２１３に接続される電気機器と信号をやり取りできる。例えば基板７の主面７ａ側には、配線８３が形成されている。配線８３は例えば金属であって、例えばパターン配線であってもよい。配線８３は、嵌合部６０Ａの信号線３３用の端子、および、嵌合部６１の信号用の端子６１３を互いに電気的に接続する。
【００８７】
＜配線モジュール１００Ｂ＞
図８は、配線モジュール１００Ｂの構成の一例を概略的に示す斜視図である。配線モジュール１００Ｂは、信号線群３０の替わりに信号用導体板３０１が設けられるという点で、配線モジュール１００と相違する。信号用導体板３０１は、長手方向に長い長尺状の形状を有しており、その長手方向に垂直な断面において扁平な形状（例えば長方形）を有している。信号用導体板３０１の材料は導体板１０，２０と同様である。
【００８８】
例えば信号用導体板３０１は、その厚み方向が導体板１０，２０の厚み方向と略一致する姿勢で、配置されてもよい。例えば信号用導体板３０１は導体板２０に対して導体板１０とは反対側に設けられてもよい。また信号用導体板３０１は導体板１０，２０の長手方向に沿って延在していてもよい。つまり、信号用導体板３０１の長手方向が導体板１０，２０の長手方向と略一致してもよい。信号用導体板３０１は導体板１０，２０と離間している。信号用導体板３０１は適宜に絶縁被覆によって覆われていてもよい。この信号用導体板３０１は、複数の信号が多重化された信号（以下、多重化信号と呼ぶ）を伝達する。
【００８９】
接続部材４０は導体板１０，２０および信号用導体板３０１に取り付けられている。図９は、接続部材４０の内部構成の一例を概略的に示す図である。接続部材４０は、例えば、スイッチ４１，４２、ヒューズ５１，５２、嵌合部６１〜６３および制御回路５０を備えている。ここでは、配線モジュール１００との相違点について説明する。制御回路５０は導体板１０，２０に接続されており、これらを介して蓄電装置５００から電力を受け取る。制御回路５０は当該電力を用いて動作する。また制御回路５０は信号用導体板３０１にも接続されている。制御回路５０は信号用導体板３０１から多重化信号を受け取り、この多重化信号を解析して、各信号を分離する。この多重化信号には、スイッチ４１，４２の導通／非導通を制御するための制御信号が含まれている。
【００９０】
制御回路５０はスイッチ４１，４２の制御端子に接続されている。制御回路５０は、多重化信号にスイッチ４１の制御信号が含まれていたときに、これをスイッチ４１の制御端子（より具体的にはコイル４１１の一端）へ出力する。同様に、制御回路５０は、スイッチ４２の制御信号が多重化信号に含まれていたときに、これをスイッチ４２の制御端子（より具体的にはコイル４２１の一端）へ出力する。
【００９１】
多重化信号には、例えば、各電気機器へ送信する信号も含まれている。制御回路５０は、嵌合部６１の信号用の端子６１３〜６１５、嵌合部６２の信号用の端子６２４，６２５および嵌合部６３の信号用の端子６３３に接続されている。制御回路５０は、これらの信号用の端子に出力すべき信号が多重化信号に含まれているときには、適宜にこれらの端子にその信号を出力する。
【００９２】
これにより、信号用導体板３０１を用いつつも、配線モジュール１００と同様の機能を実現できる。しかも、信号用導体板３０１を用いれば、厚み方向に導体板１０，２０および信号用導体板３０１を重ね合わせればよいので、配策が容易である。なお、信号用導体板３０１の幅は導体板１０，２０のいずれの幅よりも狭くてもよい。これによれば、信号用導体板３０１を導体板１０，２０の上に配置しやすい。
【００９３】
＜複数の接続部材＞
複数の接続部材４０が設けられる場合、各接続部材４０に接続される電気機器を、例えば車両のグレードごと、あるいは、車両の種類ごとに決定してもよい。これによれば、いわゆる配線群の付け捨てを低減することができる。
【００９４】
上記各実施形態及び各変形例で説明した各構成は、相互に矛盾しない限り適宜組み合わせることができる。
【００９５】
以上のようにこの配線モジュールは詳細に説明されたが、上記した説明は、すべての局面において、例示であって、この配線モジュールがそれに限定されるものではない。例示されていない無数の変形例が、この配線モジュールの範囲から外れることなく想定され得るものと解される。
【符号の説明】
【００９６】
７  基板
１０，１０Ａ  第１導体板（導体板）
１０Ｂ  第３導体板（導体板）
２０，２０Ａ  第２導体板（導体板）
３１Ａ，３１Ｂ，３２Ａ，３２Ｂ  第１信号線（信号線）
３３Ａ  第２信号線（信号線）
４０  接続部材
４１，４２  スイッチ
５０  制御回路
６１，６２  第２嵌合部（嵌合部）
８３  配線
９１  第１接続導体（接続導体）
９２  第２接続導体（接続導体）
５００  蓄電装置
５１０  第１出力端子（出力端子）
５２０  第２出力端子（出力端子）
１００，１００Ａ，１００Ｂ  配線モジュール
３０１  信号用導体板
４１１Ａ  第１嵌合部（嵌合部）
４２１Ａ  第３嵌合部（嵌合部）
４１１Ｂ  第４嵌合部（嵌合部）
６１１，６２１  第１端子（端子）
６１２，６２２  第２端子（端子）
６１３  第３端子（端子）
９１１  柱部
９１２，９１３  梁部
９１５，９１６  接触突部
【図１】
2018076013.tif 000003
【図２】
2018076013.tif 000004
【図３】
2018076013.tif 000005
【図４】
2018076013.tif 000006
【図５】
2018076013.tif 000007
【図６】
2018076013.tif 000008
【図７】
2018076013.tif 000009
【図８】
2018076013.tif 000010
【図９】
2018076013.tif 000011